(57)【特許請求の範囲】
【請求項１】
リール本体のスプール軸に取り付けられて、外周に釣糸が巻回される糸巻胴部と、該糸巻胴部の前部及び後部に形成される前側及び後側フランジ部を備えたスプールを有する魚釣用スピニングリールであって、
前記スプールの内側に嵌合する筒部と、前記スプールの後側フランジ部に当接するフランジ部と、前記筒部の略中間位置からスプール軸に向かって延びたスプール軸支部と、前記スプール軸支部の中央に形成され内周面に軸受嵌合部を備えたスプール軸用貫通孔を有する第１の補強体と、
前記スプールの前側フランジ部に当接するフランジ部と、前記第１の補強体の前端内周に設けたネジ溝と螺合するネジ溝を外周に備えた取付筒部とからなる第２の補強体を備え、
前記スプールの前側フランジ部は前記第２の補強体の前記フランジ部を係止するための凹溝が設けられていることを特徴とする魚釣用スピニングリール。
【請求項２】
リール本体のスプール軸に取り付けられて、外周に釣糸が巻回される糸巻胴部と、該糸巻胴部の前部及び後部に形成される前側及び後側フランジ部と、前記後側フランジ部に続くスカート部を備えたスプールを有する魚釣用スピニングリールであって、
前記スプールの内側に嵌合する筒部と、該筒部の前側フランジ部に当接するフランジ部と、前記筒部の略中間位置からスプール軸に向かって延びたスプール軸支部と、前記スプール軸支部の中央に形成され内周面に軸受嵌合部を備えたスプール軸用貫通孔を有する第１の補強体と、
前記スプールの後側フランジ部に当接し、外周面に沿って等間隔にスプールの前記スカート部の回り止め手段を設けたフランジ部を備え、かつ前記第１の補強体に固定される第２の補強体を備え、
前記スプールの前側フランジ部は前記第１の補強体の前記フランジ部を係止するための凹溝が設けられていることを特徴とする魚釣用スピニングリール。
【請求項３】
請求項１又は２に記載された魚釣用スピニングリールにおいて、
前記スプール軸支部は、スプール軸に嵌合しかつ前記スプール軸と一体に取り付けられた筒状のスプールメタル上に軸受を介して嵌合配置されていることを特徴とする魚釣用スピニングリール。
【発明の詳細な説明】
【技術分野】
【０００１】
本発明は、スプール軸に遊嵌状に取り付けられ、外周に釣糸が巻回されるスプールを備えた魚釣用スピニングリールに関し、とくに該スプールの補強手段を備えた魚釣用スピニングリールに関する。
【背景技術】
【０００２】
魚釣用スピニングリールは、糸巻胴部の前部及び後部にそれぞれ前側フランジ部及び後側フランジ部が形成された釣糸巻き取り用のスプールを備えている。
釣糸の巻き取りは、リール本体に回転自在に取り付けた釣糸巻き取り用ハンドルを回してロータを回転させ、回転するロータの釣糸案内部を介して釣糸をスプールの糸巻胴部に巻回させ、同時にスプール軸に対してドラグ機構を介して一体に取り付けたスプールを前後動させ、これによって、釣糸をスプールの前側から後側に、或いはその逆に順次巻き付けることで行う。
ところで、魚釣り時に釣糸をスプールの糸巻胴部の周りに巻回すると、釣糸は張力を有するから、スプールの糸巻胴部から前側及び後側フランジ部にかけて大きな釣糸巻着圧力が作用し、従って、釣糸巻着量に応じてフランジ部の軸方向に大きな圧力が掛かり、とくにリール本体に対して前側のフランジ部はその形状により前方側に特に変形し易いという問題がある。
そのため、この問題を回避するためにはスプールの補強が必要である。
【０００３】
図７は、補強を施した従来の魚釣り用スピニングリールのスプールを示す。このスプールは、図示のように、スプール本体１００の糸巻胴部１０２内に、合成樹脂材によって成形したスプール軸１２０を支持する前軸受部材１０５と後軸受部材１０９を圧入してスプール本体１００と一体化して、糸巻胴部１０２とフランジ部１０３、１０４の境界湾曲部を補強するようにしたものである（特許文献１参照）。
【０００４】
しかしながら、この従来のスプールでは、前後に分割構成された合成樹脂製の前軸受部材と後軸受部材をスプール筒部内に圧入一体化した構成であるため、前後の軸受部材同士の同芯度、あるいは前後の軸受部材とスプールの同芯度を精度よく一致させることが難しく、そのためスプール軸を回転させたときスプールの回転に振れが生じてしまい、釣糸の繰り出しがスムースに行えなくなることがある。
【０００５】
また、釣糸巻回時に、前側フランジ部及び後側フランジ部に加わる釣糸の巻着圧力により、前側フランジ部及び後側フランジ部が変形し、これにより、圧入されている前軸受部材と後軸受部材が離間して軸受部に寸法変化が生じ、スプールの回転が重くなったり、回転ムラを生じる等の支障をきたすという問題がある。
【０００６】
さらに、スプールの糸巻胴部内で、合成樹脂材の前軸受部材及び後軸受部材の両軸受部材を互いに圧入して一体化する構成のため、前記のように前軸受部材と後軸受部材が離間すると、スプールの糸巻胴部からフランジ部にかけての部分を補強することが出来なくなるという問題もある。
【特許文献１】実公昭５５−３１８９１号公報
【発明の開示】
【発明が解決しようとする課題】
【０００７】
本発明は、このような問題を解決するためになされたものであって、その目的は、魚釣用スピニングリールにおいて、スプールの糸巻胴部及び前後側フランジ部の周辺を確実に補強するとともに、スプールの回転に支障をきたすことがなく、常に良好な回転が得られるようにすることである。
また、スプールの材質や形状に応じて、補強体を自由に選択することができるようにすることである。
【課題を解決するための手段】
【０００８】
請求項１の発明は、リール本体のスプール軸に取り付けられて、外周に釣糸が巻回される糸巻胴部と、該糸巻胴部の前部及び後部に形成される前側及び後側フランジ部を備えたスプールを有する魚釣用スピニングリールであって、前記スプールの内側に嵌合する筒部と、前記スプールの後側フランジ部に当接するフランジ部と、前記筒部の略中間位置からスプール軸に向かって延びたスプール軸支部と、前記スプール軸支部の中央に形成され内周面に軸受嵌合部を備えたスプール軸用貫通孔を有する第１の補強体と、前記スプールの前側フランジ部に当接するフランジ部と、前記第１の補強体の前端内周に設けたネジ溝と螺合するネジ溝を外周に備えた取付筒部とからなる第２の補強体を備え、前記スプールの前側フランジ部は前記第２の補強体の前記フランジ部を係止するための凹溝が設けられていることを特徴とする。
請求項２の発明は、リール本体のスプール軸に取り付けられて、外周に釣糸が巻回される糸巻胴部と、該糸巻胴部の前部及び後部に形成される前側及び後側フランジ部と、前記後側フランジ部に続くスカート部を備えたスプールを有する魚釣用スピニングリールであって、前記スプールの内側に嵌合する筒部と、該筒部の前側フランジ部に当接するフランジ部と、前記筒部の略中間位置からスプール軸に向かって延びたスプール軸支部と、前記スプール軸支部の中央に形成され内周面に軸受嵌合部を備えたスプール軸用貫通孔を有する第１の補強体と、前記スプールの後側フランジ部に当接し、外周面に沿って等間隔にスプールの前記スカート部の回り止め手段を設けたフランジ部を備え、かつ前記第１の補強体に固定される第２の補強体を備え、前記スプールの前側フランジ部は前記第１の補強体の前記フランジ部を係止するための凹溝が設けられていることを特徴とする。
請求項３の発明は、請求項１又は２に記載された魚釣用スピニングリールにおいて、前記スプール軸支部は、スプール軸に嵌合しかつ前記スプール軸と一体に取り付けられた筒状のスプールメタル上に軸受を介して嵌合配置されていることを特徴とする。
【発明の効果】
【０００９】
本発明によれば、釣糸巻回時に、前側フランジ部及び後側フランジ部に釣糸の巻着圧力が加わっても、前側フランジ部及び後側フランジ部が変形したり、第１及び第２の補強体が離間することがなく、スプールの糸巻胴部からフランジ部にかけての部分を確実に補強できる。また、第１補強体のみがスプール軸支部を備えてスプール軸に支承される構造であるため、第１及び第２補強体の軸芯がずれているか否かに関係なく常に良好な回転が得られる。
また、スプールに対して第１及び第２補強体を任意に選択できるため、スプールの材質（樹脂、金属等）や形状（浅溝、深溝等）に応じて、最適な材質及び形状の補強体を選択でき、設計の自由度が広がる。
【発明を実施するための最良の形態】
【００１０】
以下、本発明の実施形態を添付図面を参照して説明する。
図１は、本発明の第１実施形態に係る魚釣用スピニングリールの一部を断面で示した側面図である。
【００１１】
図１に示すように、魚釣用スピニングリールを構成するリール本体１は、従来のものと同様に、ボディ部分２、ボディ部分２に回転自在に取り付けられた釣糸巻き取り用のハンドル３、ボディ部分２内に設けた伝動機構等を覆う蓋体４、ハンドル３の回転時にその回転トルクを伝動する図示しない伝動機構を介して接続されたロータ５、ロータ５の両側に形成され、リール本体１の前方に延在する一対の支持アーム８、支持アーム８の前端に設けられたペール支持部材やラインローラなどの公知の釣糸案内装置を備えており、かつ半環状のベール８ａがラインローラを装着したベールアームやベールホルダー等のベール支持部材を介して釣糸巻取位置と釣糸放出位置へ夫々反転自在に取り付けられている。
【００１２】
図２は図１の一部、即ちスプール部分を拡大して示した断面図である。
図中、６はスプールであって、スプール軸７にドラグ装置９を介して遊嵌されている。スプール軸７は、リール本体１内に内蔵された摺動子やトラバースカムからなるトラバース装置（図示せず）により、前記ハンドル３の回転に連動して前後方向に進退自在にトラバース運動する。
このスプール軸７の前端部には、図２に示すようにドラグ調整ノブ３５内に軸方向移動可能に回り止め嵌合したナット３６に螺合する螺合部７ａが形成されている。このナット３６は、ドラグ調整ノブ３５に装着固定されるカップ状の保持体３５ａ内に設けた螺旋バネ３７のバネ力によってドラグ調整ノブ３５側に圧接されている。スプール軸７の前部には、ピン４４によってスプールメタル４０が一体的に連結されており、このスプールメタル４４の外周にカップ状で内周に凹凸部が形成されたバネ受９１（発音体）が回り止め嵌合されており、保持体３５ａに係止された環状バネ３８の端部がバネ９１の凹凸部に係合して、ドラグ調整ノブ３５を回転させると節度感のあるクリック音を発生するように構成されている。
従って、ドラグ調整ノブ３５を左右いずれかに回すことでナット３６をスプール軸７に対して進退させ、それによって螺旋バネ３７のバネ力を調節し、ドラグ制動部材９０のドラグ力を調節する。
【００１３】
ここで、ドラグ制動部材９０は、前記スプールメタル４０に回り止め嵌合したバネ受９１と、外周端に設けた折曲部を後述する第１補強体２０のスプール軸支部２４の係止孔２４ａに係止しスプール６と一体に回転するドラグワッシャ９２と、スプールメタル４０に回り止め嵌合されたドラグワッシャ９３、及び前記バネ受９１、ドラグワッシャ９２、９３、及びスプール軸支部２４間にそれぞれ介挿された複数のライニングワッシャ９４から成っている。
なお、図２中、３９はキャップであり、その円筒部分は後述する第２補強体３０の内周面に例えば接着剤で止着されている。
【００１４】
以上の構成において、釣糸の巻き取りは、ベール８ａ（図１）を糸巻き取り位置にして前記ハンドル３を回転して行う。即ち、ハンドル３を回すと歯車伝動機構などを介してロータ５が回転し、それに伴ってリール本体１内に設けた前記トラバース機構により、スプール軸７がリール本体１に対して往復動可能に前後動し、ドラグ機構９を介してスプール軸７に連結されたスプール６もリール本体１に対して前後動する。他方、ロータ５の回転により前記釣糸案内装置のベール８ａがスプール６の周りを回転し、スプール６の糸巻胴部１０に釣糸を巻回することで、釣糸はスプール６上に一端（前）側から他端（後）側に向かって順次巻回される。
【００１５】
次にスプールの構成について説明する。
図３はスプール部分を各要素に分解して示した分解断面図、図４は図３に示す各要素を組み立てた状態を示すスプール部分の断面図である。
図３において、スプール６は、円筒状の糸巻胴部１０と、その前端（図中左側端）に設けた糸巻胴部１０よりも大径の前側フランジ部１２と、後端（図中右側端）に設け前側フランジ部１２とほぼ同径の後側フランジ部１４と、後側フランジ部１４に続くスカート部１６とから成っている。スプール６の前側フランジ部１２外周端を覆うように金属などでできた硬質の保護用リング１５がカシメ或いは成形により一体に設けられている。
図４に示すように、スプール６の内周側には、第１補強体２０及び第２補強体３０が配置され、かつ前側フランジ部１２の前面には、後述する第２補強体３０のフランジ部を係止するための凹溝１２ａが円周状に設けられている。
【００１６】
第１補強体２０は、筒部２２と、この筒部２２の後部に形成された円形の第１フランジ部２１と、筒部２２の前後の略中間位置からスプール軸７に向かって延びたスプール軸支部２４、スプール軸支部２４の中央に形成されたスプール軸用貫通孔２６、及びスプール軸用貫通孔２６の内周面に軸受嵌合部２５を有し、材質は例えばアルミニウム合金等の金属材や繊維強化樹脂等で形成される。
第１補強体２０の筒部２２の図４中上端部内周には、後述する第２補強体３０の外周に形成されたネジ溝と螺合するネジ溝２３で着脱自在な固定手段が形成されており、前記第１フランジ部２１の図中上側（前側）の面（前面）２１ａは、第１補強体２０をスプール６の糸巻胴部１０の内周面内に装着したときスプール６の後側フランジ部１４の裏面の支持面となる。
【００１７】
ここで、スプール軸支部２４は、スプール軸７に嵌合しかつスプール軸７とピン４４で一体に取り付けられかつ一端部にフランジ部が形成された筒状のスプールメタル４０上に、２個の軸受４２を介して嵌合配置される（図２参照）。
【００１８】
第２補強体３０は、第１補強体２０と同様に例えばアルミニウム合金製であり、図３に示すように、前端（図中上端）に設けた第２フランジ部３１と、第１補強体２０の筒部２２の前端内周に設けたネジ溝２３と螺合するネジ溝３３を外周に備えた短い取付筒部３２とからなっている。
第２補強体３０の第２フランジ部３１は、スプール６の前側フランジ部１２前面に設けた円周状凹溝１２ａに嵌合して、スプール６端面と面一の表面を形成するようその厚みが設定されている。
【００１９】
ここで、図４を参照すると、第１補強体２０はスプール６の糸巻胴部１０の内周面に嵌合し、かつその第１フランジ部２１の前面２１ａはスプール６の後側フランジ部１４の裏面に当接している。他方、第２補強体３０はその短い筒部３２の外周に設けたネジ溝３３を第１補強体２０前端部の内周面に設けたネジ溝２３に螺合し、前記第２フランジ部３１がスプール６の円周状凹溝１２ａ内に完全に納まるまで螺進させて第１及び第２補強体２０、３０を一体に螺合固定し、スプール６の糸巻胴部１０内に装着される第１及び第２補強体の第１フランジ部２１と第２フランジ部３１とで、狭着固定することで、前側フランジ部１２及び後側フランジ部１４を確実に補強するように構成されている。
【００２０】
図５は、図４のＡ−Ａ断面図である。
本実施形態では、図５に示すように、スプール６のスカート部１６の前端内周面に沿って複数個、図示例では等間隔に４個の凹部１８を設けると共に、第１補強体２０の第１フランジ部２１の外周にこれに係止可能なようにその外周面に沿って等間隔に凸部２７を設け、これらを係合する。これによって第１補強体２０がスプール６に回り止めされ、その状態で第２補強体３０とネジ係合で一体化し、スプール６は各補強体２０、３０により糸巻胴部１０及び糸巻胴部１０と前側フランジ部１２及び後側フランジ部１４の境界面が補強されている。
【００２１】
第１及び第２補強体２０、３０は以上の構成からなるから、これらを図２に示すようにスプール６の内周側に配置すると、スプール６は第１補強体２０のスプール軸支部２４のみでスプール軸７に軸支され、しかもその２個の軸受４２はいずれもスプール軸支部２４の軸受嵌合部２５に配置されているから、従来のように、前後の軸受部に寸法変化が生じることがなく回転が重くなったり回転むらが発生することがない。
【００２２】
図６は、本発明の第２の実施形態に係る魚釣用スピニングリールのスプールの部分の縦断側面図である。第１の実施形態と同一の部分には同一の番号を付して説明を省略する。
スプール６は、第１補強体２０’及び第２補強体３０’により補強されるとともに、第１補強体２０’と第２補強体３０’は、以下のようにネジで固定される。
【００２３】
第１補強体２０’は、筒部２２’と、この筒部２２’の前部に形成された円形の第１フランジ部２１’と、筒部２２’の略中央の内側に形成されたスプール軸支部２４’とを有する。スプール軸支部２４’は、第１の実施形態と同様に例えばアルミ合金等の金属製であり、スプール軸支部２４’の中央に形成されたスプール軸用貫通孔の内周面に軸受嵌合部２５’を有している。
筒部２２’は、糸巻胴部１０の内周の略全長にわたる長さを有し、糸巻胴部１０の内周に密着して嵌合される。また、スプール軸支部２４’は、軸受４２を介してスプールメタル４０上に嵌合支持されている。
【００２４】
第２補強体３０’は、第１補強体２０’の後端面に接合する接合部３２’とその接合部３２’の周りに一体に設けられた第２フランジ部３１’とからなり、前記接合部３２’は第１補強体２０’の筒部２２’の後端部に当接され着脱自在な固定手段である止ネジ３３’により第１補強体２０’に固定される。その際、その第２フランジ部３１’はスプール６の後側フランジ部１４の裏側に当接配置される。
なお、第１補強体２０’の第１フランジ部２１’は、スプール６の前側フランジ部１２前面に設けた円周状凹溝１２ａに嵌合してスプール６端面と面一の表面を形成するようその厚みが設定されている。
また、この第２の実施形態においても第１の実施形態と同様に、スプール６のスカート部１６の前端内周面に沿って複数個、等間隔に例えば４個の凹部を設けると共に、第２補強体３０’の前記フランジ部３１’にこれに係止可能なようにその外周面に沿って等間隔に凸部を設け、これらを係合することで第２補強体３０’がスプール６に回り止めされ、その状態で第１補強体２０’とネジ係合し、各補強体２０’、３０’によりスプール６が内方及びその前側フランジ部１２及び後側フランジ部１４の前後面から補強される。
【００２５】
以上、前記各実施形態の魚釣用スピニングリールは、スプール６の糸巻胴部１０の内周の略全長にわたり、第１補強体２０、２０’の筒状の胴部２２、２２’を密着して嵌合し、かつ第２補強体３０、３０’と螺合手段で固定するから、スプール６の前側フランジ部１２及び後側フランジ部１４に釣糸の巻着圧力が加わっても、第１及び第２の補強体２０、２０’、３０、３０’が離間することがなく、第１補強体２０、２０’の第１フランジ部２１、２１’、筒部２２、２２’及び第２補強体３０、３０’の第２フランジ部３１、３１’により、スプール６の前後のフランジ部１２、１４及び糸巻胴部１０から前後側フランジ部１２、１４に至る折曲部分又は彎曲部分を含めスプール６全体を確実に補強できる。
【００２６】
また、第１補強体２０、２０’及び第２補強体３０、３０’をスプール６に対して着脱可能に構成したことにより、スプール６の材質（樹脂、金属）や形状（浅溝、深溝）に応じて、第１補強体２０、２０’及び第２補強体３０、３０’として最適な材質及び形状のものを選択できるとともに、故障その他の不具合が生じたときも容易に交換することができる。
スプール６に樹脂材を、そして各補強体２０、２０’、３０、３０’に金属材（アルミニウム合金や、マグネシウム合金等）を使用することにより、強度の維持を周りながら、軽量化が可能となる。
このように、内側に例えば、耐食性の低いマグネシウム合金を使用しても、直接水に触れにくくなり、耐食性を向上できる。
【００２７】
なお、第１の実施形態では、第１補強体をスプールの後側に、第２補強体を前側に配置し、かつ第２の実施形態では、逆に第１補強体をスプールの前側に、第２補強体を後側に配置したが、それぞれの位置関係を逆にしてもよい。
【図面の簡単な説明】
【００２８】
【図１】本発明の第１実施形態に係る魚釣用スピニングリールの一部を断面で示した側面図である。
【図２】図１の魚釣用スピニングリールの主要部分を拡大して示した側断面図である。
【図３】主要部分を構成する各要素に分解して示した断面図である。
【図４】図３に示す各要素を組み立てた状態を示す断面図である。
【図５】図４の線Ａ−Ａに沿った断面図である。
【図６】本発明の第２実施形態に係る魚釣用スピニングリールの主要部分を拡大して示した側断面図である。
【図７】従来の魚釣用スピニングリールの縦断面図である。
【符号の説明】
【００２９】
１・・・リール本体、２・・・ボディ部分、３・・・ハンドル、４・・・蓋体、５・・・ロータ、６・・・スプール、７・・・スプール軸、８・・・支持アーム、８ａ・・・ベール、９・・・ドラグ装置、１０・・・糸巻胴部、１２・・・前側フランジ部、１４・・・後側フランジ部、１６・・・スカート部、２０、２０’・・・第１補強体、２１、２１’・・・第１フランジ部、２２、２２’・・・筒部、２３・・・ネジ溝、２４，２４’・・・スプール軸支部、２４ａ・・・係止孔、２５・・・軸受嵌合部、３０、３０’・・・第２補強体、３１、３１’・・・第２フランジ部、３３・・・ネジ溝、３５・・・ドラグ調製ノブ、３６・・・ナット、３７・・・螺旋バネ、３８・・・環状バネ、３９・・・キャップ、４０・・・スプールメタル、４２・・・軸受。
【図１】
0004827242.tif 000002
【図２】
0004827242.tif 000003
【図３】
0004827242.tif 000004
【図４】
0004827242.tif 000005
【図５】
0004827242.tif 000006
【図６】
0004827242.tif 000007
【図７】
0004827242.tif 000008